(57)【特許請求の範囲】
【請求項１】
壁面冷却用タイルと、該壁面冷却用タイルが装着される基板と、つる性の植物の茎を係留する係留具とを含んでなり、
前記壁面冷却用タイルが非透水性の基板体と該基板体の表面に形成された多孔質体からなる保水層とを有しかつ前記基板に着脱自在に装着する装着手段を備え、
該壁面冷却用タイルは、壁面に張設された前記基板に該基板と該壁面冷却用タイルとの間に隙間が設けられた状態で、前記装着手段により前記保水層の表面をタイル表面として装着されることにより該壁面に敷設され、
前記係留具が前記つる性の植物の茎を係留する係留部と該係留部を支持する支持部とを備え、該支持部が前記基板に固定されたとき該基板から立設する立設部と該立設部に略直交する折り曲げ部とから構成される支持板からなり、
前記係留部が前記タイル表面の前側に該タイル表面から間隔をおいて位置するように前記立設部の一端部に止着され、該立設部の他端部が互いに隣設の前記壁面冷却用タイルの間の隙間空間に挿入状態となり、前記折り曲げ部が前記隙間に入り込んで前記基板に固定された
壁面構造。
【請求項２】
前記係留具が前記壁面冷却用タイルのタイル表面と間隔をおいて略水平に張られた棒状部材を備える請求項１に記載の壁面構造。
【請求項３】
敷設された前記壁面冷却用タイルのタイル面に給水する給水手段を含んでなる請求項または２に記載の壁面構造。
【請求項４】
前記保水層がセラミック多孔質体からなる請求項１から４のいずれか１または２に記載の壁面構造。
【請求項５】
前記壁面冷却用タイルが対向する一対の木口面で開口する貫通孔を有する１から４のいずれかに記載の壁面構造。
【請求項６】
前記保水層の厚さが０．５〜５ｍｍである請求項１から５のいずれかに記載の壁面構造。
【請求項７】
前記タイル表面に植物を定着させた請求項１から６のいずれかに記載の壁面構造。
【発明の詳細な説明】
【技術分野】
【０００１】
本発明は、水の気化熱を利用して壁面を冷却する目的に用いるタイルとそのタイルを用いた壁面構造に関する。
【背景技術】
【０００２】
夏季の室内温度上昇を防いで、地球温暖化の要因のひとつである冷房用エネルギーの増大を抑制する目的で、壁の断熱性の改良が求められている。この目的に合致するものとして、断熱性を改良したタイルが挙げられる。具体的には多孔質材からなるタイル（例えば、特許文献１参照）や、表面に植物を植生したタイル（例えば、特許文献２参照）が知られている。
【０００３】
多孔質材からなるタイルは、優れた遮熱性を得ようとするとタイルの大部分が多孔質材で占められるので強度低下で欠けたりするおそれがある。表面に植物を植生したタイルは植生された植物の維持管理を要するので使用範囲が限定される。
【特許文献１】特開２００６−１３１４４６号公報
【特許文献２】特開２００５−００１９７６号公報
【発明の開示】
【発明が解決しようとする課題】
【０００４】
本発明の発明者は上記問題点に鑑み、水の気化熱を利用することが壁面の遮熱にとって有効であると考えた。本発明の目的は、水の気化熱を利用して壁面を冷却する目的に用いるタイルとそのタイルを用いた、すぐれた遮熱効果を有する壁面構造を提供しようとすることである。
【課題を解決するための手段】
【０００５】
本発明の要旨とするところは非透水性の基板体と、該基板体の表面に形成された多孔質体からなる保水層とを備え、壁面に敷設されたとき、前記保水層の表面がタイル表面となる壁面冷却用タイルであることにある。
【０００６】
前記保水層はセラミック多孔質体からなり得る。
【０００７】
前記壁面冷却用タイルは、対向する一対の木口面で開口する貫通孔を有し得る。
【０００８】
前記壁面冷却用タイルは、敷設用壁面に着脱自在に装着する装着手段を備え得る。
【０００９】
また、本発明の要旨とするところは、前記壁面冷却用タイルを敷設してなる壁面構造であることにある。
【００１０】
前記壁面構造は敷設された前記壁面冷却用タイルのタイル面に給水する給水手段を含んでなり得る。
【００１１】
前記壁面構造はつる性の植物の茎を係留する係留具を備え得る。
【００１２】
前記係留具は前記壁面冷却用タイルのタイル表面と間隔をおいて略水平に張られた棒状部材を備え得る。
【００１３】
前記壁面構造は前記敷設用壁面に取り付けられ前記壁面冷却用タイルが装着される基板を備え得る。
【００１４】
前記壁面構造においては、前記基板と前記壁面冷却用タイルとの間に隙間が設けられ得、前記係留具が、前記つる性の植物の茎を係留する係留部と該係留部を支持する支持部とを備え得、該支持部の一端部に前記係留部が止着され得、前記支持部の他端部が前記隙間に入り込んで前記基板に固定され得る。
【００１５】
さらに、本発明の要旨とするところは、前記タイル表面に植物を定着させた前記壁面構造であることにある。
【発明の効果】
【００１６】
本発明によると、水の気化熱を利用して壁面を冷却する目的に好適に用いられる壁面冷却用タイルとその壁面冷却用タイルを用いた、すぐれた遮熱効果を有する壁面構造が提供される。
【発明を実施するための最良の形態】
【００１７】
本発明の冷壁面却用タイルの態様を説明する。なお、本明細書においては、各図にわたって記される同じ符号は同一又は同様の部材やものを示す。図１に示すように、本発明の壁面冷却用タイル２は、非透水性の基板体４と、基板体４の表面に形成されたセラミック多孔質体からなる保水層６とを備える。壁面冷却用タイル２が壁面に敷設されたときには、保水層６の表面がタイル表面（タイルのおもて面）となる。
【００１８】
保水層６は連通孔を有する多孔質体から構成される。この多孔質体に水を接触させると、接触した水は連通孔を通じて吸収され、連通孔の空隙に保持される。また、保持された水は、連通孔を通じてタイル表面から外部に蒸散し、そのときの気化熱により、壁面冷却用タイル２が冷却される。
【００１９】
基板体４の材質は、通常のタイルに用いられるセラミックと同様の材質であり得る。また、基板体４のサイズは通常のタイルとほぼ同じである。
【００２０】
保水層６の厚さは０．５〜５ｍｍであることが好ましい。保水層６が薄過ぎると保水量が不足して良好な冷却効果が得られない。保水層６が厚過ぎるとタイルとしての厚さが過大となり、美観に欠け、また重くなり過ぎる。保水層６を構成する多孔質体の保水率（吸水重量／乾燥重量）は１２０〜２００％であることが好ましい。吸水重量は所定の形状の多孔質体を水に浸漬後１分間静置したのち取り出して余剰の水を自然落下させた後の重量である。また、このような一連の浸漬操作を行った後の保水層６による壁面冷却用タイル２の表（おもて）面がわにおける単位面積当たりの保水量は０．０１〜０．１１ｇ／ｃｍ２であることが好ましい。
【００２１】
保水層６は、例えば、陶器の粉砕片などの粗粒状のセラミック（シャモットなど）からなる骨材とガラスや長石等からなる釉成分とを含む泥漿を基板体４に塗布、乾燥した塗布層を焼成することによって得ることができる。また、基板体４の前駆体である素焼き板の表面にこの塗布層を形成した複合前駆体を焼成して冷壁面却用タイルを得ることができる。粗粒状のセラミックの平均粒径は０．１〜３ｍｍであることが好ましい。粗粒状のセラミックと釉成分との混合比率は１００：５〜１００：８０（重量比）であることが好ましい。
【００２２】
あるいは、焼失性の粒体や焼失性の発泡体や繊維集合体からなるシート状物等を含む素地層を基板体４の前駆体である素焼き板の表面に積層した複合前駆体を一体に焼成して冷壁面却用タイルを得ることができる。この場合、焼失性の粒体や発泡体や繊維集合体からなるシート状物が焼成により焼失して保水層６が形成される。
【００２３】
また、保水層６は多孔質の樹脂からなるものであってもよい。多孔質の樹脂としては硬質ウレタン発泡体、フェノール系樹脂発泡体などが例示される。あるいは、保水層６が合成繊維製のフェルトや織物などの布からなるものであってもよい。これら発泡体や布をタイルの形状にあわせて片状に成形し、基板体４の表面に接着剤により貼着して本発明の壁面冷却用タイル２が得られる。
【００２４】
本発明の壁面冷却用タイル２は、図２に示すように敷設すべき壁面１０に通常のタイルの敷設と同様の態様で敷設して壁面構造１２となす。壁面構造１２においては、壁面への散水により壁面冷却用タイル２の保水層６が吸水し保水する。保水された水が蒸散することにより壁面冷却用タイル２が冷却されて壁面構造１２は日照などに起因する外部の熱に対して遮熱効果を発揮する。このように、本発明の壁面構造１２はいわゆる打水の冷却効果と同様の原理による冷却効果を有する。すなわち、本発明の壁面構造１２により、壁面打水冷却システムを構築することができる。
【００２５】
また、散水によらずとも、壁面構造１２の壁面冷却用タイル２の表面は降雨により水が供給されて保水されるので、雨上がりなどにはとくに有効な冷却効果を得ることができる。
【００２６】
さらに、本発明においては、壁面構造１２が、図３に示すように、敷設された壁面冷却用タイル２の表面に水を供給する給水手段１４を備えてもよい。給水手段１４は敷設された壁面冷却用タイル２の直上部に設置され、水平に配置された給水管１６を備える。給水管１６には管壁の下側に複数の導孔１８が管の長手に沿って設けられている。給水管１６に供給された水が導孔１８から下方に排出されて壁面冷却用タイル２のタイル表面に水が供給される。給水手段１４は不図示のタイマーにより定められた時間帯に給水管１６に水が供給される態様であってもよい。給水手段１４に使用される水は水道水であってもよいが、自家で浄化した浄化水であってもよい。さらには、貯留された雨水であってもよい。このように、本発明においては、本来ならば排水される水の有効活用による節水が可能である。
【００２７】
本発明の壁面構造１２は壁面を濡らすだけでなく、壁面に保水層６により水を大量に貯留することにより、水の熱容量を高め優れた冷却効果得て、かつ水が蒸発し終わるまでの長時間に亘る冷却効果の維持を可能にしたものであり、単に、壁面を凹凸化したり、濡れやすくしただけでは、本発明のような長時間にわたる、しかも優れた冷却効果は得られない。
【００２８】
本発明の他の態様においては、壁面冷却用タイルが図４に示すように、中空であってもよい。図４において、壁面冷却用タイル２ｔは、タイルの対向する一対の木口面（端面）１９、１９で開口するようにタイルを貫通する貫通孔２２（中空部２３）を有する。中空部の存在により、タイルの遮熱性がさらに向上する。中空部２３は開口部が封止された密閉状態の中空部であってもよい。
【００２９】
さらに、本発明の壁面構造１２は保水層６の表面が蔦などのつる性の植物（例えば、ヅタ、オオイタビ、ヘヂラ、ナツヅタなど）を壁面に這わせるうえでも優れた機能を発揮する。本発明の壁面冷却用タイルはつる性の植物が吸着されやすいテクスチュアを有しており、また、タイル表面に灌水することにより施工面全体が常にほぼ一定の水分状態に維持されて温度上昇が少ないので、つる性の植物が吸着しやすい。加えて、壁面冷却用タイルが中空部２３（図４）を有する場合は、その冷却効果により、タイル表面温度が上昇しにくく、つる性の植物がさらに吸着しやすくなる。すなわち、本発明の壁面構造１２は壁面に這わせたつる性の植物の繁殖が速く、植生誘導の機能に優れ、良好な蔦の登攀機能が発揮される。例えば、通常のレンガ壁面では５〜６か月かかってつる性の植物を繁茂させることができるのに対して、本発明の壁面構造においては３か月ほどで同様の繁茂状態を得ることができる。また、つる性の植物を壁面に這わせることにより、つる性の植物の水分蒸散による冷却効果や遮光の効果と上述の保水層６による冷却効果を合わせ発揮させることができ、極めて優れた壁面冷却効果を得ることができる。
【００３０】
また、つる性の植物を繁茂させる従来の壁面においては、植物の根が壁の内部に深く進入するというトラブルが見受けられたが、本発明の壁面構造１２は、植物の足場となる保水層６の厚さをたかだか５ｍｍ程度と薄くすることができ、かつ保水層６の裏側には非多孔質の基板体４が固着しているので、根の深い進入はなく、優れた防根効果がある。
【００３１】
本発明の他の態様においては、壁面冷却用タイルが図４に示すように、中空であってもよい。図４において、壁面冷却用タイル２ｔは、タイルの対向する一対の木口面（端面）１９、１９で開口するようにタイルを貫通する貫通孔２２（中空部２３）を有する。中空部の存在により、タイルの遮熱性がさらに向上する。中空部２３は開口部が封止された密閉状態の中空部であってもよい。
【００３２】
保水層６の表面は通常のタイル素材の表面に比べてカビなどにより汚れやすいので、本発明のさらに他の態様においては、壁面冷却用タイルが壁面１０に着脱可能に装着されるための装着手段を備えていてもよい。装着手段を備えることにより、破損したり、汚れたりしたタイルを容易に交換できる。図５に、壁面１０に着脱可能に装着できる壁面冷却用タイル２ｆの形状の一例を示す。図５において、壁面冷却用タイル２ｆは、基板体に相当する焼物体１１８の表面に保水層６ｆが重畳されて成る。焼物体１１８には貫通孔２２が形成されている。
【００３３】
壁面冷却用タイル２ｆの上面１１１には、壁面冷却用タイル２ｆの短幅方向Ａ上方に突出し、壁面冷却用タイル２ｆの長幅方向Ｂ（以下長幅方向と称する）に延出する凸条部１１０が形成され、壁面冷却用タイル２ｆの裏面１０５には長幅方向に延出する懐溝１１２が形成されている。懐溝１１２の内面は底部上方の隅に更に係合溝１１５が長幅方向に形成されている。
【００３４】
壁面冷却用タイル２ｆの下面１０９には、長幅方向に延出する係止溝１１４が形成されている。又、下面１０９には係止溝１１４より表面のがわに、導水用溝１３５が長幅方向に延出して形成されている。係止溝１１４の形成により生じた凸条部１２０は下端部が長手方向に一律に削り取られたように欠落して凸条部１２０の下面１２２が下面１０９より上方に位置し、窪み空間１４２が下面１２２と裏面１０５との交差かど部に生じている。
【００３５】
このような構造の壁面冷却用タイル２ｆにおいては、焼物体１１８の素地体は、例えば、焼物体１１８とほぼ同様の断面形状の筒状素地体を押し出し成形により製造したのち長手方向に所定の長さに切り分けて製造する。
【００３６】
図６は壁面冷却用タイル２ｆが壁面１０に装着された態様の壁面構造１２ｆであり、壁面冷却用タイル２ｆは、壁１２３の壁面１０に貼合された係止用板１２４を介して壁面１０に係止装着される。係止用板１２４は、ベース板１２６と、ベース板１２６の表面に長手方向を水平にして上下に配列して固定された複数の長尺の係止用受け部１３０から成る。係止用受け部１３０は、下部受け部材１２８と、その上方に配された上部受け部材１２９から成る。下部受け部材１２８は、一の平帯状板と他の平帯状板とが互いに面を直交させてそれぞれの自身の長手方向に沿った一縁部で互いに連接した形状の断面Ｌ字形の長尺部材から成り、一の平帯状板の面がベース板１２６の面と平行に配され、他の平帯状板の長手方向に沿った他の縁部がベース板１２６に固着している。下部受け部材１２８は、長尺板が自身の長手方向に沿った折り目で断面くの字形に折られた形状の他の長尺部材から成り、面をベース板１２６の面と上方に斜向させて自身の長手方向に沿った縁部でベース板１２６に固着している。
【００３７】
壁面冷却用タイル２ｆは係止用受け部１３０に係着装着される。くわしくは、下部受け部材１２８が係止溝１１４（図５）と係合し、上部受け部材１２９が係合溝１１５（図５）と係合する。又、壁面冷却用タイル２ｆは壁面１０に沿って上下左右に面一に配され、隣接の上下の壁面冷却用タイル２ｆは、上方の壁面冷却用タイル２ｆの窪み空間１４２に下方の壁面冷却用タイル２ｆの凸条部１１０が挿入されて組み合わされる。係止溝１１４と係合溝１１５とを含んで壁面冷却用タイル２ｆを施工面に装着する装着手段６０（係合部８２ｐ（図５））が構成される。
【００３８】
下部受け部材１２８や、上部受け部材１２９の断面形状は係止溝１１４や係合溝１１５と係合するものであればＬ字形やくの字形に限定されない。
【００３９】
壁面構造１２ｆにおいて、タイル表面に植物を定着した場合に、基板１２６の存在により、植物の根が建造物の壁本体に侵入することを防止できる。基板１２６はアルミ板のような厚さ１〜５ｍｍの金属板であってもよい。
【００４０】
また、本発明の壁面構造においては、図７に示すように、つる性の植物の茎１６０を係留する係留具１６２を備えて、つる性の植物の茎１６０の先端部が伸びすぎて落下したときにその自重で根元から先端部に及ぶ茎全体が落下してしまうことを防止できる。係留具１６２は棒状部材１６４からなりつる性の植物の茎１６０に接して係留する係留部１６７と不図示の固定具を備える。固定具は係留部１６７を壁面１０に固定する。棒状部材１６４からなる係留部１６７はタイル表面から所定の間隔ｗｐをおいて略水平に張られる。この態様は構造が簡易で好ましい。棒状部材１６４は、壁面１０の鉛直方向に複数本が互いに間隔をおいて配されてもよい。棒状部材１６４は地面に対して斜め方向、あるいは垂直方向に設置されてもよい。
【００４１】
係留部１６７としては棒状部材１６４のほかに図８に示す形状の係留部（１６７ａ〜１６７ｅ）を例示することができる。その他、係留具１６２に用いる部材の形状はつる性の植物の茎１６０を係留することができるものであれば形状を問わない。係留部１６７はつる性の植物の茎１６０の係留は落下時に茎を受け止めて係留するものであることが好ましいが、つる性の植物の成長時につるや茎をからみつかせて係留し茎の落下を防止するものであってもよい。
【００４２】
図９（ａ）〜図９（ｅ）に係留部１６７ａ〜１６７ｅをそれぞれ不図示の固定具により壁面に固定した態様を示す。
【００４３】
図１０、図１１に棒状部材１６４をタイル表面１６５から所定の間隔ｗをおいて略水平に張ってなる係留手段２００を有する態様の一例として壁面構造１２ｐを示す。図１０、図１１に示す態様においては、２個の中空部２２ａを有する、図５に示す壁面冷却用タイル２ｆとほぼ同様の形状の壁面冷却用タイル２ｐが用いられる。壁面冷却用タイル２ｐは、図６に示す態様とほぼ同様の態様で、四角中空長尺部材からなる取り付け用部材１８０を介して壁１２３の壁面１０に固定された基板１８４、を介して壁面１０に係止装着される。なお、基板１８４はネジ１９２により取り付け用部材１８０に固定される。
【００４４】
基板１８４は、長手方向を水平にして上下に配列して基板１８４の表面に固定された複数の長尺の下部受け部材１２８ａと、その上方に配された上部受け部材１２９ａとスペーサ１８８とを備える。下部受け部材１２８ａは、断面コの字状のフック形状を含んだ形状の長尺部材からなり、フック形状の部分の反対側の長縁で基板１８４に固着している。上部受け部材１２９ａは長尺板が自身の長手方向に沿った折り目で断面くの字に折り曲げられた形状の他の長尺部材からなり、片側長縁で基板１８４に固着している。
【００４５】
壁面冷却用タイル２ｐは、下部受け部材１２８ａが係止溝１１４と着脱自在に係合し、上部受け部材１２９ａが係止溝１１５と着脱自在に係合する。また、スペーサ１８８により、基板１８４と壁面冷却用タイル２ｐの裏面との隙間１９０が確保される。複数の壁面冷却用タイル２ｐが図１１に示すように壁面１０に沿って上下左右に面一に配される。
【００４６】
基板１８４につる性の植物の茎を係留する係留手段２００が装備される。係留手段２００はつる性の植物の茎を係留する係留具２０２からなり、係留具２０２は支持部２０４と支持部２０４の一端部に止着されてつる性の植物の茎を係留する係留部２０６とを備える。支持部２０４は支持板２０５からなる。係留部２０６は寸切りボルト状の棒状部材１６４からなる。複数の支持板２０５が横方向に棒状部材１６４の長さに対応した所定の間隔をおいて基板１８４に取り付けられ、互いに隣設の支持板２０５に棒状部材１６４が架け渡されて、棒状部材１６４の両端部それぞれが対応の支持板２０５の一端部に形成された長穴２１２に挿入されてナット２１４で固定される。
【００４７】
支持板２０５の他端部がＬ字形に折り曲げられて折り曲げ部２１８が形成され、折り曲げ部２１８がネジ１９３により基板１８４に固定される。すなわち、支持板２０５は基板１８４に固定されたとき基板１８４から垂直に立設こととなる立設部２２０と折り曲げ部２１８から構成されるともいえる。なお、支持板２０５の一端部は立設部２２０に含まれる。
【００４８】
壁面構造１２ｐにおいては、立設部２２０が、互いに隣設の壁面冷却用タイル２ｐの間の隙間空間（目地空間）２２２に挿入状態となり、折り曲げ部２１８がスペーサ１８８により確保された隙間１９０に挿入状態となる。これにより、壁面冷却用タイル２ｐの配列を乱すことなくかつ複雑な器具を用いることなく、ねじ止め等の簡単な操作で係留具２０２が壁面１０に基板１８４を介して固定される。
【００４９】
実施例
【００５０】
図５に示す形状の壁面冷却用タイル２ｆを用いて図６に示す壁面構造１２ｆのモデルを組み立てた。壁面冷却用タイル２ｆのサイズは７２ｍｍ×２２５ｍｍ×２６ｍｍ（縱×横×厚さ）であり、中空部の幅（タイルの厚さ方向の）は５ｍｍであった。保水層６ｆの厚さは１ｍｍであった。
【００５１】
保水層６ｆは、焼物体１１８の素地体表面に泥漿を塗布・乾燥し、素地体とともに１２７０℃で焼成して形成した。泥漿はシャモット（平均粒径１ｍｍ）１００重量部、ガラス粉（平均粒径０．１ｍｍ）２５重量部、粘土１５重量部（乾燥重量）、水１４０重量部からなるものである。また、焼物体１１８の素地体は従来のタイル用の生地からなるものである。
【００５２】
この壁面冷却用タイル２ｆからサンプリングした代表的サンプルの乾燥重量は５９７．８ｇであり、この壁面冷却用タイル２ｆを水に２４時間浸漬したのち水中から取り出して余剰の水を自然落下させたものの重量は６０５．９であった。このときの壁面冷却用タイル２ｆの表（おもて）面がわにおける単位面積当たりの保水量は０．０４２ｇ／ｃｍ２であった。
【００５３】
壁面構造１２ｆのテスト用モデルは縱方向に１５個、横方向に５個の壁面冷却用タイル２ｆを敷設したものである。このモデル壁面構造１２ｆのタイル表面を太陽に５０分間面対させたのち、タイル表面に散水した。散水はタイル表から水がしたたり落ちるほどに充分に行った。散水後タイル表面を太陽に面対した状態を保って８分間後と５０分間後に、タイルの表面温度（モデルの壁面構造の中央部付近）を熱画像計測装置（ＮＥＣ  三栄（株）製：サーモトレーサー  ＴＨ９１００ＰＷＶ）により計測した。
【００５４】
比較例
【００５５】
実施例で用いた壁面冷却用タイル２ｆに代えて、この壁面冷却用タイル２ｆの構成要素である焼物体１１８と同じ形状、材質のタイルを用いたほかは、実施例と同様にして壁面構造のモデルを組み立て、同様にして散水、および温度計測を行った。
【００５６】
温度計測結果
温度計測結果を表１に示す。
【００５７】
【表１】
0005416378.tif 000002
【００５８】
表１より、実施例の壁面構造が、比較例の壁面構造にくらべて散水によるタイル面の冷却効果にすぐれ、その効果は散水後も５０分以上継続されることがわかった。
【００５９】
その他、本発明は、主旨を逸脱しない範囲で当業者の知識に基づき種々なる改良、修正、変更を加えた態様で実施できるものである。
【図面の簡単な説明】
【００６０】
【図１】本発明の壁面冷却用タイルの態様の一例を示す断面図である。
【図２】本発明の壁面冷却用タイルを用いた壁面構造の態様の一例を示す断面図である。
【図３】本発明の壁面冷却用タイルを用いた壁面構造の他の態様の一例を示す断面図である。
【図４】本発明の壁面冷却用タイルの他の態様の一例を示す斜視図である。
【図５】本発明の壁面冷却用タイルのさらに他の態様の一例を示す斜視図である。
【図６】本発明の壁面冷却用タイルを用いた壁面構造の他の態様の一例を示す断面図である。
【図７】つる性の植物の茎を係留する係留具を備えた本発明の壁面構造の態様の一例を示す断面図である。
【図８】つる性の植物の茎を係留する係留部の例を示す図である。
【図９（ａ）】図８に示す係留部を備えた本発明の壁面構造の態様を示す断面図である。
【図９（ｂ）】図８に示す係留部を備えた本発明の壁面構造の態様を示す断面図である。
【図９（ｃ）】図８に示す係留部を備えた本発明の壁面構造の態様を示す断面図である。
【図９（ｄ）】図８に示す係留部を備えた本発明の壁面構造の態様を示す断面図である。
【図９（ｅ）】図８に示す係留部を備えた本発明の壁面構造の態様を示す断面図である。
【図１０】つる性の植物の茎を係留する係留具を備えた本発明の壁面構造の態様の他の一例を示す断面模式図である。
【図１１】図１０に示す壁面構造を説明する図であり、図１１（ａ）は図１０に示す壁面構造の正面一部透視図、図１１（ｂ）は図１１（ａ）の上面視の模式図である。
【符号の説明】
【００６１】
２、２ｆ、２ｔ、２ｐ：壁面冷却用タイル
４：基板体
６、６ｆ：保水層
１０：壁面
１２、１２ｆ、１２ｐ：壁面構造
１４：給水手段
１９：木口面
２２：貫通孔
６０：装着手段
１１８：焼物体
１２６，１８４：基板
１６０：つる性の植物の茎
１６２，２０２：係留具
１６４：棒状部材
１６７、２０６：係留部
１８０：取り付け用部材
１９０：隙間
２０４：支持部
【図１】
0005416378.tif 000003
【図２】
0005416378.tif 000004
【図３】
0005416378.tif 000005
【図４】
0005416378.tif 000006
【図５】
0005416378.tif 000007
【図６】
0005416378.tif 000008
【図７】
0005416378.tif 000009
【図８】
0005416378.tif 000010
【図９（ａ）】
0005416378.tif 000011
【図９（ｂ）】
0005416378.tif 000012
【図９（ｃ）】
0005416378.tif 000013
【図９（ｄ）】
0005416378.tif 000014
【図９（ｅ）】
0005416378.tif 000015
【図１０】
0005416378.tif 000016
【図１１】
0005416378.tif 000017